(57)【要約】【課題】  所定のフィルタ処理を施した画像データを容易に取得することができるカメラおよびレンズユニットを提供する。【解決手段】  カメラ本体３と、被写体の像を結像させる撮影光学系１７を有するレンズユニット５と、被写体の像を撮像して電気的な画像情報に変換する撮像手段７と、所定の画像処理アルゴリズムを記憶したアルゴリズム記憶部２１と、画像処理アルゴリズムに基づいて、画像情報に画像処理を施す画像処理手段１０と、が設けられ、アルゴリズム記憶部２１がレンズユニット５に備えられ、レンズユニット５およびアルゴリズム記憶部２１が、カメラ本体３に着脱可能に取り付けられることを特徴とする。【選択図】  図１
2008092000.tif 000002
【特許請求の範囲】
【請求項１】
カメラ本体と、
被写体の像を結像させる撮影光学系を有するレンズユニットと、
前記被写体の像を撮像して電気的な画像情報に変換する撮像手段と、
所定の画像処理アルゴリズムを記憶したアルゴリズム記憶部と、
前記画像処理アルゴリズムに基づいて、前記画像情報に画像処理を施す画像処理手段と、が設けられ、
前記アルゴリズム記憶部が前記レンズユニットに備えられ、
前記レンズユニットおよび前記アルゴリズム記憶部が、前記カメラ本体に着脱可能に取り付けられるカメラ。
【請求項２】
前記アルゴリズム記憶部が、前記レンズユニットに固有な画像処理アルゴリズムを記憶する請求項１記載のカメラ。
【請求項３】
前記アルゴリズム記憶部が、前記撮影光学系固有の光学特性を補正処理するためのアルゴリズムを記憶する請求項１または２に記載のカメラ。
【請求項４】
前記アルゴリズム記憶部が、特殊効果を生成するための特殊効果生成アルゴリズムを記憶する請求項１または２に記載のカメラ。
【請求項５】
前記撮像処理手段が、前記レンズユニットの有する撮影光学系に固有な光学特性に関する情報を用いた画像処理を施すことにより、特殊効果を得る請求項４記載のカメラ。
【請求項６】
前記撮影光学系の光学特性に、所定の収差が付与されている請求項５記載のカメラ。
【請求項７】
前記特殊効果がフィルタ処理を行うことにより得られる請求項４から６のいずれかに記載のカメラ。
【請求項８】
カメラ本体に着脱可能に取り付けられるレンズユニットであって、
前記カメラ本体に備えられた撮像手段に被写体の像を結像させる撮影光学系と、
前記撮像手段により取得された画像情報の画像処理に用いられる所定の画像処理アルゴリズムを記憶したアルゴリズム記憶部と、
が設けられたレンズユニット。
【請求項９】
前記所定の画像処理アルゴリズムがフィルタアルゴリズムである請求項８記載のレンズユニット。
【請求項１０】
筐体と、
被写体の像を撮像して電気的な画像情報に変換する撮像手段と、を備え、
前記筐体に、請求項８または９に記載のレンズユニットが着脱可能に取り付けられるカメラ本体。
【発明の詳細な説明】
【技術分野】
【０００１】
本発明は、カメラ、レンズユニットおよびカメラ本体に関する。
【背景技術】
【０００２】
近年、ＣＣＤ（Ｃｈａｒｇｅ  Ｃｏｕｐｌｅｄ  Ｄｅｖｉｃｅｓ）等の撮像素子をカメラ本体内に配置した、いわゆるデジタル電子カメラが普及している（例えば、特許文献１参照。）。
撮像素子を備えたカメラには、撮像素子により取得された画像データに対してフィルタ処理や補正処理などの画像処理を行う画像処理ＣＰＵ（Ｃｅｎｔｒａｌ  Ｐｒｏｃｅｓｓｉｎｇ  Ｕｎｉｔ）が搭載されたものが一般的である。通常、画像処理の実行は、所定の画像処理アルゴリズムに基づいて行われている。また、画像処理ＣＰＵで画像データの画像処理を行う場合には、カメラに取り付けられたレンズユニットの光学特性に基づいて行われることがある。そのため、カメラ本体に対して着脱可能に取り付けられる交換式レンズのカメラの場合に、精度よく所望のフィルタ処理や補正処理を行うためには、レンズユニットを交換する毎に、画像処理ＣＰＵにおける画像処理を、それぞれのレンズユニットの光学特性に応じて異ならせるための画像処理アルゴリズムが必要となる。
【０００３】
一方、近年、カメラの小型化の市場要請があり、カメラ本体のみならず、レンズユニットの小型化が必要となっている。レンズユニットの小型化のためには、レンズユニットのレンズ使用枚数を削減する必要があるが、この場合に、レンズユニット固有の光学特性に起因する諸収差の発生をレンズの組み合わせによって、光学的に補正することが困難となる。このため、このような小型レンズユニットの諸収差を画像処理により補正しようとすると、画像処理ＣＰＵにおける複雑な演算処理が必要となる。そして複数の交換レンズ全ての補正処理に対応しようとすると、そのための画像処理アルゴリズムも複雑となる。
【０００４】
また、このカメラで撮像した画像データに、画像処理ソフトウエアを用いてセピア処理や、クロススクリーン処理などのフィルタ処理を施すことも一般的に行われている。画像処理ソフトウエアは画像データに複数のフィルタ処理を施すことができ、パーソナルコンピュータ（以下、ＰＣと表記する。）上で動作するものが知られている。
【特許文献１】特開平１１−１１２８５９号公報
【発明の開示】
【発明が解決しようとする課題】
【０００５】
しかしながら、カメラ本体に複数の補正処理に関する複雑なアルゴリズムを持たせることは、カメラ本体側の画像処理手段などに負担がかかるという問題があった。
【０００６】
本発明は、上記の課題を解決するためになされたものであって、カメラ本体側の画像処理手段に負担をかけることなく、所定のフィルタ処理や補正処理を行うことができるカメラ、レンズユニットおよびカメラ本体を提供することを目的とする。
【課題を解決するための手段】
【０００７】
上記目的を達成するために、本発明は、以下の手段を提供する。
本発明は、カメラ本体と、被写体の像を結像させる撮影光学系を有するレンズユニットと、前記被写体の像を撮像して電気的な画像情報に変換する撮像手段と、所定の画像処理アルゴリズムを記憶したアルゴリズム記憶部と、前記画像処理アルゴリズムに基づいて、前記画像情報に画像処理を施す画像処理手段と、が設けられ、前記アルゴリズム記憶部が前記レンズユニットに備えられ、前記レンズユニットおよび前記アルゴリズム記憶部が、前記カメラ本体に着脱可能に取り付けられるカメラを提供する。
【０００８】
本発明によれば、所定の画像処理アルゴリズムがアルゴリズム記憶部に記憶されているため、レンズユニットを選択することにより、所望の画像処理を画像情報に施すことができる。
例えば、複数のレンズユニットのアルゴリズム記憶部に、それぞれ異なる画像処理アルゴリズムを記憶させた場合、カメラ本体に取り付けるレンズユニットを交換することにより、異なる画像処理アルゴリズムによる画像処理を画像情報に施すことができる。このようにすることで、カメラ本体に複数の異なる画像処理アルゴリズムを保持させることなく、複数の異なる画像処理を施した画像を得ることができる。
【０００９】
また、交換するレンズユニットを選択することにより画像処理アルゴリズムを選択するため、カメラ本体に設けられた切替スイッチ等により画像処理アルゴリズムを選択する方法と比較して、画像処理アルゴリズムを選択する操作が簡単になるとともに、直感的あるいは感覚的な選択操作を行うことができる。
【００１０】
上記発明においては、前記アルゴリズム記憶部が、前記レンズユニットに固有な画像処理アルゴリズムを記憶することが望ましい。
本発明によれば、アルゴリズム記憶部にレンズユニットに固有な画像処理アルゴリズムを記憶させることで、カメラ本体に取り付けられる可能性のある全てのレンズユニットに固有な画像処理アルゴリズムをカメラ本体に保持させることなく、撮像に用いたレンズユニットに固有な画像処理アルゴリズムにより画像処理が施された被写体の画像を得ることができる。
【００１１】
上記発明においては、前記アルゴリズム記憶部が、前記撮影光学系固有の光学特性を補正処理するためのアルゴリズムを記憶することが望ましい。
本発明によれば、アルゴリズム記憶部には撮影光学系に固有な光学特性を補正処理するアルゴリズムを記憶させることで、カメラ本体に取り付けられる可能性のある全てのレンズユニットの撮影光学系に固有な光学特性を補正処理するアルゴリズムをカメラ本体に保持させることなく、撮像に用いた撮影光学系に固有な光学特性を補正処理するアルゴリズムにより画像処理が施された被写体の画像を得ることができる。
【００１２】
上記発明においては、前記アルゴリズム記憶部が、特殊効果を生成するための特殊効果生成アルゴリズムを記憶することが望ましい。
本発明によれば、画像処理手段には、所定の特殊効果を生成する特殊効果生成アルゴリズムが記憶されるため、レンズユニットを選択して交換することで画像情報に施す特殊効果を選択することができる。このようにすることで、複数の特殊効果生成アルゴリズムをカメラ本体に保持させることなく、複数の異なる特殊効果を施した画像を得ることができる。
【００１３】
また、交換するレンズユニットを選択することにより特殊効果生成アルゴリズムを選択するため、カメラ本体に設けられた切替スイッチ等により特殊効果生成アルゴリズムを選択する方法と比較して、特殊効果生成アルゴリズムを選択する操作が簡単になるとともに、直感的あるいは感覚的な選択操作を行うことができる。
なお、上述の特殊効果としては、彩度強調、エッジ強調およびソフト描写（ソフトフォーカス）などのフィルタ処理や、セピア処理や、クロススクリーン処理や、ミラージュ処理などを挙げることができる。
【００１４】
上記発明においては、前記撮像処理手段が、前記レンズユニットの有する撮影光学系に固有な光学特性に関する情報を用いた画像処理を施すことにより、特殊効果を得ることが望ましい。
【００１５】
本発明によれば、画像処理手段は、撮影光学系の光学特性に起因する諸収差などを利用した特殊効果を画像情報に施すことができる。例えば、諸収差などによる効果と同様の特殊効果を画像情報に施す場合には、画像処理手段は、上記固有な光学特性に基づいて、諸収差などによる効果を強調または低減する画像処理を施す。このようにすることで、画像処理手段における演算処理の負担を軽減することができる。
一方、諸収差による効果とは異質な特殊効果を画像情報に施す場合には、画像処理手段は、上記固有な光学特性に基づいて諸収差などを除去した後に、特殊効果を画像情報に施す。このようにすることで、画像情報に効果的な特殊効果を施すことができる。
【００１６】
上記発明においては、前記撮影光学系の光学特性に、所定の収差が付与されていることが望ましい。
本発明によれば、撮影光学系により撮像手段に結像された被写体の像には、ボケや歪み等の収差が生じ、当該収差により所定の特殊効果が得られる。当該収差を利用して所定の特殊効果を得るため、画像処理手段における画像処理の負担を軽減することができる。
【００１７】
上記発明においては、前記特殊効果がフィルタ処理を行うことにより得られることが望ましい。
本発明によれば、画像処理手段は、画像情報に対してフィルタ処理を行うことにより特殊効果を得る画像処理を施す。画像処理手段がレンズユニットに設けられているので、レンズユニットを選択することにより画像情報にフィルタ処理を施すか否かを選択できるとともに、画像情報に所定のフィルタ処理を施すことができる。
なお、フィルタ処理としては、彩度強調や、エッジ強調や、ソフト描写（ソフトフォーカス）や、セピア処理や、クロススクリーン処理や、ミラージュ処理等による効果を例示することができる。
【００１８】
本発明は、カメラ本体に着脱可能に取り付けられるレンズユニットであって、前記カメラ本体に備えられた撮像手段に被写体の像を結像させる撮影光学系と、前記撮像手段により取得された画像情報の画像処理に用いられる所定の画像処理アルゴリズムを記憶したアルゴリズム記憶部と、が設けられたレンズユニットを提供する。
【００１９】
本発明によれば、アルゴリズム記憶部をレンズユニットに設けることにより、撮像手段により取得された画像情報の画像処理に用いられる所定の画像処理アルゴリズムをアルゴリズム記憶部に記憶することができる。また、レンズユニットをカメラ本体に対して着脱することにより、レンズユニットに設けられたアルゴリズム記憶部および撮影光学系を一体的に着脱することができる。
例えば、上記所定の画像処理アルゴリズムが、アルゴリズム記憶部とともにレンズユニットに設けられた撮影光学系の光学特性に関する画像処理アルゴリズムである場合には、撮影光学系および画像処理アルゴリズムはレンズユニットに一体に設けられているため、取り付けられる可能性のあるレンズユニットに対応した全ての画像処理アルゴリズムをカメラ本体に記憶させる必要がない。
【００２０】
あるいは、上記所定の画像処理アルゴリズムが、画像情報にフィルタ処理などの特殊効果に関する画像処理アルゴリズムの場合には、レンズユニットをカメラ本体に取り付けることにより、所望の特殊効果を奏する画像処理を画像情報に施すことができる。そのため、特殊効果に関する画像処理アルゴリズムをカメラ本体に複数記憶させる必要がなくなる。また、カメラ本体に設けられたモード切替スイッチ等により特殊効果に関する画像処理アルゴリズムを選択する方法と比較して、画像処理アルゴリズムを選択する操作が簡単になるとともに、直感的あるいは感覚的な選択操作を行うことができる。
【００２１】
上記発明においては、前記所定の画像処理アルゴリズムがフィルタアルゴリズムであることが望ましい。
本発明によれば、アルゴリズム記憶部にフィルタアルゴリズムが記憶されるため、画像情報にフィルタ処理を奏する画像処理が施される。このようにすることで、レンズユニットの選択で画像情報にフィルタ処理を施すか否かを選択できるとともに、交換されるレンズユニットを選択することにより画像情報に所定のフィルタ処理を施すことができる。
なお、フィルタ処理としては、彩度強調や、エッジ強調や、ソフト描写（ソフトフォーカス）や、セピア処理や、クロススクリーン処理や、ミラージュ処理等による効果を例示することができる。
【００２２】
本発明は、筐体と、被写体の像を撮像して電気的な画像情報に変換する撮像手段と、を備え、前記筐体に、上記いずれかのレンズユニットが着脱可能に取り付けられるカメラ本体を提供する。
【００２３】
本発明によれば、撮像手段により取得された画像情報に対する画像処理は、筐体に取り付けられた上記いずれかのレンズユニットにおけるアルゴリズム記憶部に記憶された画像処理アルゴリズムに基づいて行われる。そのため、レンズユニットを交換する際に、画像処理に必要な交換後の撮像光学系に適応した画像処理アルゴリズム等がカメラ本体に記憶されている必要がなく、また、当該画像処理アルゴリズム等をカメラ本体に入力する必要もない。
【発明の効果】
【００２４】
本発明のカメラ、レンズユニットおよびカメラ本体によれば、アルゴリズム記憶部は、レンズユニットとともにアルゴリズム記憶部をカメラ本体に対して着脱されるため、カメラ本体側の画像処理手段に多くの画像処理アルゴリズムを保持するという負担をかけることなく、所定のフィルタ処理等を行うことができるという効果を奏する。
【発明を実施するための最良の形態】
【００２５】
〔第１の実施形態〕
以下、本発明の第１の実施形態に係るカメラについて図１および図２を参照して説明する。
図１は、本実施形態に係るカメラの全体構成を説明するブロック図である。
本実施形態に係るカメラ１は、ＣＣＤなどの撮像素子を用いて被写体の像を撮像するデジタル電子カメラである。
カメラ１は、図１に示すように、カメラ本体３と、レンズユニット５とを備えている。
レンズユニット５は後述するカメラ本体３の筐体３Ａに公知の着脱機構を介して着脱可能に取り付けられている。筐体３Ａには、焦点距離等が異なる様々な種類のレンズユニット５が取り付け可能とされている。
【００２６】
カメラ本体３は、被写体の像を撮像する撮像素子７などを内部に搭載するものであり、カメラ本体３にはレンズユニット５が着脱可能に取り付けられている。カメラ本体３は、図１に示すように、筐体３Ａと、撮像素子（撮像手段）７と、本体側制御部８と、第１通信部１１ａと、表示部（表示手段）１５とを備えている。
【００２７】
筐体３Ａは、カメラ本体３の外装を構成するものであり、内部に撮像素子７、本体側制御部８、第１通信部１１aおよび表示部１５などが収められている。
撮像素子７は、撮像素子７上に結像された被写体の像に基づいて、撮像信号（電気的な画像情報）を生成するものである。撮像素子７は、レンズユニット５により集光された被写体の像が、撮像素子７上に結像する位置に配置されている。撮像素子７から出力された撮像信号は、本体側制御部８の信号処理回路９に入力される。なお、撮像素子７としては、ＣＣＤやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの公知の撮像素子を用いることができ、特に限定するものではない。
【００２８】
本体側制御部８には、信号処理回路９と、画像処理部（画像処理手段）１０と、表示画像信号処理部１３と、メモリ１６とが備えられている。また、本体側制御部８には、入力部１４が配置されている。
【００２９】
信号処理回路９は、撮像素子７から出力された撮像信号をアナログデジタル変換処理等の信号処理をして画像データを生成するものである。信号処理回路９には、撮像素子７から撮像信号が入力される。信号処理回路９において信号処理された画像データは、画像処理部１０に出力される。
【００３０】
画像処理部１０は、フィルタアルゴリズムに基づいて画像データに画像処理を施すものである。画像処理部１０には、信号処理回路９から撮像データが入力されるとともに、第１通信部１１ａからフィルタアルゴリズムが入力される。画像処理部１０からは、メモリ１６に画像処理後の画像データが出力される。
【００３１】
画像処理部１０において行われる画像処理としては、レンズ系１７固有の光学特性（諸収差）を補正する画像処理や、画像加工処理（フォトショップ（アドビ社、登録商標））する処理や、特殊効果・フィルタ処理（彩度強調、エッジ強調、ソフト描写（ソフトフォーカス））、セピア処理、クロススクリーン処理、ミラージュ処理などする処理が挙げられる。また、画像処理部１０は、本実施形態のように、レンズ系１７の光学特性に起因する諸収差などを利用することなく画像処理を行ってもよいし、諸収差などを利用して画像処理を行ってもよく、特に限定するものではない。
なお、画像処理部１０としては、ＣＰＵやＤＳＰ（Ｄｉｇｉｔａｌ  Ｓｉｇｎａｌ  Ｐｒｏｃｅｓｓｏｒ）などの公知の演算素子を用いることができ、特に限定するものではない。
【００３２】
表示画像信号処理部１３は、画像処理後の画像データを信号処理して画像表示データを生成するものである。表示画像信号処理部１３には、メモリ１６から画像処理後の画像データが入力される。表示画像信号処理部１３からは、表示部１５に画像表示データが出力される。
【００３３】
メモリ１６は、画像処理後の画像データを記憶するものである。メモリ１６には、画像処理部１０から画像処理後の画像データが入力される。メモリ１６からは、表示画像信号処理部１３に画像処理後の画像データが出力される。
【００３４】
入力部１４は、撮影者が画像処理部１０において用いられる画像処理アルゴリズムを規定するパラメータ値を入力するものであり、入力されたパラメータ値は本体側制御部８に出力される。
なお、上述のように、本体側制御部８に入力部１４を配置してもよいし、後述するレンズユニット側制御部１２に入力部１４を配置してもよく、特に限定するものではない。
【００３５】
第１通信部１１ａは、レンズユニット５に設けられた第２通信部１１ｂとの間でフィルタアルゴリズム（画像処理アルゴリズム）などの交換を行うものであって、第２通信部１１ｂとともに通信部１１を構成するものである。第１通信部１１ａには、第２通信部１１ｂからフィルタアルゴリズムが入力される。第１通信部１１ａからは、本体側制御部８の画像処理部１０にフィルタアルゴリズムが出力される。
【００３６】
表示部１５は、ＬＣＤ（液晶ディスプレイ）等からなるものであって、画像表示データに基づいて被写体の画像を表示するものである。表示部１５には、本体側制御部８の表示画像信号処理部１３から画像表示データが入力される。
【００３７】
レンズユニット５は、内部に備えられたレンズ系（撮像光学系）１７により被写体の像を撮像素子７に結像させるものであり、カメラ本体３に着脱可能に取り付けられている。レンズユニット５は、図１に示すように、レンズ系１７と、第２通信部１１ｂと、レンズユニット側制御部１２と、アルゴリズム記憶部２１とを備えている。
【００３８】
レンズ系１７は、被写体からの光を撮像素子７の受光面上に結像させるものである。なお、本実施形態においてレンズ系１７には、ソフトフォーカス効果などの特殊効果を得る光学特性が付与されていない。ソフトフォーカス効果を得るレンズ特性としては球面収差などを挙げることができる。
【００３９】
なお、レンズ系１７の光学特性に付与した球面収差などの諸収差と、画像処理部１０における画像処理とによりソフトフォーカス効果などの特殊効果を得るようにしてもよい。また、レンズ系１７の光学特性に球面収差などの諸収差を付与し、当該光学特性により得られたソフトフォーカス効果などの特殊効果の強さを、画像処理部１０における画像処理で増減してもよい。
このようにすることにより、特殊効果を得るための複雑な画像処理を行うことなく、レンズ系１７の光学特性により特殊効果を得ているため、画像処理部１０の演算負担を軽減することができる。
【００４０】
さらに、レンズ系１７の光学特性に付与した球面収差などの諸収差のみによりソフトフォーカス効果などの特殊効果を得るようにしてもよい。
なお、上述したレンズ系１７の光学特性としては、ディストーション（歪曲収差）や、シェーディング（周辺減光）や、倍率色収差などが例示される。
【００４１】
第２通信部１１ｂは、カメラ本体３に設けられた第１通信部１１ａとの間でフィルタアルゴリズムの交換を行うものであって、第１通信部１１ａとともに通信部１１を構成するものである。第２通信部１１ｂには、アルゴリズム記憶部２１からフィルタアルゴリズムが入力される。第２通信部１１ｂからは、第１通信部１１ａにフィルタアルゴリズムが出力される。
【００４２】
レンズユニット側制御部１２は、通信部１１ｂとアルゴリズム記憶部２１との間における画像処理アルゴリズムの入出力を制御するものである。
レンズユニット側制御部１２には、アルゴリズム記憶部２１から画像処理アルゴリズムが入力される。一方、レンズユニット側制御部１２から、通信部１１ｂに画像処理アルゴリズムが出力される。
なお、レンズユニット側制御部１２は、レンズユニット側制御部１２に対して独立した制御部であってもよいし、従属する制御部であってもよく、特に限定するものではない。
【００４３】
アルゴリズム記憶部２１には、フィルタアルゴリズムが記憶されている。アルゴリズム記憶部２１からは、第２通信部１１ｂにフィルタアルゴリズムが出力される。なお、フィルタアルゴリズムとしては、レンズ系１７の光学特性を補正するための補正処理アルゴリズムや、セピア処理アルゴリズム、ソフトフォーカス処理アルゴリズム、クロススクリーン処理アルゴリズム、ミラージュ処理アルゴリズム等の特殊効果生成アルゴリズムなどを例示することができる。
【００４４】
次に、上記の構成からなるカメラ１における動作および撮像画像処理方法について説明する。
カメラ１を用いて被写体を撮影する場合には、図１に示すように、最初にカメラ１の電源がＯＮにされ、カメラ本体３の本体側制御部８やレンズユニット５のレンズユニット側制御部１２などに電力が供給される。
その後、撮影者がカメラ１のレリーズボタン（図示せず）を押し下げることにより、以下に述べる作用に従って被写体が撮影される。
【００４５】
図２は、図１のカメラの動作を説明するフローチャートである。
レリーズボタンが押し下げられると、レンズユニット５のレンズ系１７により結像された被写体の像は撮像素子７により電気信号である画像情報に変換される。画像情報は撮像素子７から本体側制御部８の信号処理回路９に入力される。信号処理回路９は画像情報を信号処理し、画像処理部１０において処理可能な画像データに変換する。画像データは信号処理回路９から画像処理部１０に入力される（ステップＳ１）。
【００４６】
アルゴリズム記憶部２１に記憶されたフィルタアルゴリズムはレンズユニット側制御部１２を介して第２通信部１１ｂに出力され、第２通信部１１ｂから第１通信部１１ａに送信される。送信されたフィルタアルゴリズムは、第１通信部１１ａから本体側制御部８の画像処理部１０に入力される（ステップＳ２）。
【００４７】
画像処理部１０は、アルゴリズム記憶部２１から読み出したフィルタアルゴリズムに基づいて画像データの画像処理を行う（ステップＳ３）。ここで、フィルタアルゴリズムはセピア処理アルゴリズム、ソフトフォーカス処理アルゴリズム、クロススクリーン処理アルゴリズム、ミラージュ処理アルゴリズムなどであり、画像処理部１０における画像処理はセピア処理などのフィルタ処理をする画像処理である。
画像処理後の画像データは、画像処理部１０からメモリ１６に出力され、メモリ１６に記憶される（ステップＳ４）。
【００４８】
メモリ１６に記憶された画像データは、呼び出しを受けると、メモリ１６から表示画像信号処理部１３に入力される。表示画像信号処理部１３は、画像処理後の画像データを表示部１５に表示できる画像表示データに変換する。画像表示データは表示部１５に入力されるとともにキャッシュメモリに記憶される、表示部１５はキャッシュメモリに記憶された補正された被写体の画像と同一の画像を表示する（ステップＳ５）。
【００４９】
なお、キャッシュメモリには、表示部１５に現在表示されている画像以外の画像に関する画像表示データも記憶されている。例えば、撮像された画像が、撮像した順番に表示部１５に表示される場合には、現在表示されている画像の次に表示される画像に関する画像表示データ等もキャッシュメモリに予め記憶される。
【００５０】
なお、画像処理部１０における処理法方を規定するパラメータ値を入力部１４から変更可能とすることもできる。すなわち、パラメータ値を変更することにより、諸収差の補正の程度や、フィルタ処理による効果やレタッチ効果の強弱を変更することが可能である。
【００５１】
上記の構成によれば、画像処理アルゴリズムが記憶されたアルゴリズム記憶部２１は、レンズユニット５とともにアルゴリズム記憶部２１をカメラ本体３に対して着脱されるため、レンズユニット５を選択することにより、所望の画像処理を画像情報に施すことができる。
複数のレンズユニット５のアルゴリズム記憶部２１に、それぞれ異なる画像処理アルゴリズムを記憶させた場合には、カメラ本体３に取り付けるレンズユニット５を交換することにより、異なる画像処理アルゴリズムによる画像処理を画像情報に施すことができる。このようにすることで、カメラ本体３に複数の異なる画像処理アルゴリズムを保持させることなく、複数の異なる画像処理を施した画像を得ることができる。
【００５２】
また、交換するレンズユニット５を選択することにより画像処理アルゴリズムを選択するため、カメラ本体３に設けられた切替スイッチ等により画像処理アルゴリズムを選択する方法と比較して、画像処理アルゴリズムを選択する操作が簡単になるとともに、直感的あるいは感覚的な選択操作を行うことができる。
【００５３】
アルゴリズム記憶部２１に、レンズ系１７に固有な光学特性を補正処理するアルゴリズムが記憶されている場合には、レンズユニット５と、レンズ系１７に固有な光学特性を補正処理するアルゴリズムとが、一体となってカメラ本体３に対して着脱されるため、撮像に用いたレンズ系１７に固有な光学特性を補正処理するアルゴリズムにより画像処理が施された被写体の画像を得ることができる。この場合、カメラ本体３に取り付けられる可能性のある全てのレンズユニットのレンズ系１７に固有な光学特性を補正処理するアルゴリズムをカメラ本体３に保持させる必要がない。
【００５４】
アルゴリズム記憶部２１には、所定の特殊効果を生成する特殊効果生成アルゴリズムが記憶される場合には、レンズユニット５を選択して交換することで画像情報に施す特殊効果を選択することができるため、複数の特殊効果生成アルゴリズムをカメラ本体３に保持させることなく、複数の異なる特殊効果を施した画像を得ることができる。
【００５５】
レンズ系１７による諸収差などによる効果と同様の特殊効果を画像データに施す場合には、画像処理部１０は、レンズ系１７の固有な光学特性に基づいて、諸収差などによる効果を強調または低減する画像処理を施すことで、画像処理部１０における演算処理の負担を軽減することができる。
一方、諸収差による効果とは異質な特殊効果を画像データに施す場合には、画像処理部１０は、レンズ系１７の固有な光学特性に基づいて諸収差などを除去した後に、特殊効果を画像データに施すことで、画像データに効果的な特殊効果を施すことができる。
【００５６】
画像データに対して特殊効果としてフィルタ処理を施す場合には、画像処理部１０は、レンズユニット５と共に交換されるため、レンズユニットを選択することにより画像データにフィルタ処理を施すか否かを選択できるとともに、画像データに所定のフィルタ処理を施すことができる。
【００５７】
撮像素子７により取得された撮像データに対する画像処理は、筐体３Ａに取り付けられたレンズユニット５のアルゴリズム記憶部２１に記憶された画像処理アルゴリズムに基づいて行われる。そのため、レンズユニット５を交換する際に、交換後のレンズ系１７に適応した画像処理アルゴリズム等がカメラ本体３に記憶されている必要がなく、また、当該画像処理アルゴリズム等をカメラ本体３に入力する必要もない。そのため、カメラ本体３に複数の異なる画像処理アルゴリズムを保持するという負担を負わせることなく、複数の異なる画像処理を施した画像を得ることができる。
【００５８】
〔第１の実施形態の変形例〕
次に、本発明の第１の実施形態の変形例について図３および図４を参照して説明する。
本変形例のカメラの基本構成は、第１の実施形態と同様であるが、第１の実施形態とは、メモリの配置位置が異なっている。よって、本変形例においては、図３および図４を用いてメモリ周辺のみを説明し、その他の構成要素等の説明を省略する。
図３は、本変形例に係るカメラの全体構成を説明するブロック図である。
なお、第１の実施形態と同一の構成要素については、同一の符号を付してその説明を省略する。
【００５９】
本変形例に係るカメラ１０１は、ＣＣＤなどの撮像素子を用いて被写体の像を撮像するデジタル電子カメラである。
カメラ１０１は、図３に示すように、カメラ本体１０３と、レンズユニット１０５とを備えている。
レンズユニット１０５はカメラ本体１０３に着脱可能に取り付けられている。カメラ本体１０３には、異なる種類のレンズユニット１０５が取り付け可能とされている。
【００６０】
カメラ本体１０３は、被写体の像を撮像する撮像素子７などを内部に搭載するものであり、カメラ本体１０３にはレンズユニット１０５が着脱可能に取り付けられている。カメラ本体１０３は、図３に示すように、撮像素子７と、信号処理回路９と、画像処理部（画像処理手段）１１０と、第１通信部１１１ａと、表示画像信号処理部１１３と、表示部１５と、を備えている。
【００６１】
画像処理部１１０は、フィルタアルゴリズムに基づいて画像データに画像処理を施すものである。画像処理部１１０には、信号処理回路９から画像データが入力されるとともに、第１通信部１１１ａからフィルタアルゴリズムが入力される。画像処理部１０からは、第１通信部１１１ａに画像処理後の画像データが出力される。
【００６２】
第１通信部１１１ａは、レンズユニット１０５に設けられた第２通信部１１１ｂとの間でフィルタアルゴリズム（画像処理アルゴリズム）等の交換を行うものであって、第２通信部１１１ｂとともに通信部１１１を構成するものである。第１通信部１１１ａには、第２通信部１１１ｂからフィルタアルゴリズムが入力されるとともに、画像処理部１１０から画像処理後の画像データが入力される。第１通信部１１１ａからは、画像処理部１１０にフィルタアルゴリズムが出力されるとともに、表示画像信号処理部１１３に画像処理後の画像データが入力される。
【００６３】
表示画像信号処理部１１３は、画像処理後の画像データを信号処理して画像表示データを生成するものである。表示画像信号処理部１１３には、第１通信部１１１ａから画像処理後の画像データが入力される。表示画像信号処理部１１３からは、表示部１５に画像表示データが出力される。
【００６４】
レンズユニット１０５は、内部に備えられたレンズ系１７により被写体の像を撮像素子７に結像させるものであり、カメラ本体１０３に着脱可能に取り付けられている。レンズユニット１０５は、図３に示すように、レンズ系１７と、第２通信部１１１ｂと、アルゴリズム記憶部２１と、メモリ１１６とを備えている。
【００６５】
第２通信部１１１ｂは、カメラ本体１０３に設けられた第１通信部１１１ａとの間でフィルタアルゴリズム等の交換を行うものであって、第１通信部１１１ａとともに通信部１１１を構成するものである。第２通信部１１１ｂには、アルゴリズム記憶部２１からフィルタアルゴリズムが入力されるとともに、第１通信部１１１ａから画像処理後の画像データが入力される。第２通信部１１１ｂからは、第１通信部１１１ａにフィルタアルゴリズムが出力されるとともに、メモリ１１６に画像処理後の画像データが出力される。
【００６６】
次に、上記の構成からなるカメラ１０１における動作および撮像画像処理方法について説明する。
図４は、図３のカメラの動作を説明するフローチャートである。
被写体の撮影時における、撮像素子７による被写体像の撮像であるステップＳ１から、画像処理部１１０による画像データの画像処理であるステップＳ３までの動作は、第１の実施形態と同様であるのでその説明を省略する。
【００６７】
画像処理後の画像データは画像処理部１１０から第１通信部１１１ａに出力され、第２通信部１１１ｂに送信される（ステップＳ１４）。
第２通信部１１１ｂは、第１通信部１１１ａから送信された画像処理後の画像データを受信する（ステップＳ１５）。
【００６８】
画像処理後の画像データは第２通信部１１１ｂからメモリ１１６に入力され、メモリ１１６に一時的に記憶される（ステップＳ１６）。
メモリ１１６に記憶された画像処理後の画像データは、呼び出しを受けると、メモリ１１６から第２通信部１１１ｂに出力される。第２通信部１１１ｂは、画像処理後の画像データをカメラ本体３の第１通信部１１１ａに送信する（ステップＳ１７）。
【００６９】
第１通信部１１１ａは、第２通信部１１１ｂから送信された画像処理後の画像データを受信する（ステップＳ１８）。
画像処理後の画像データは、第２通信部１１１ｂから表示画像信号処理部１１３に入力される。以後のカメラ１０１における動作は、第１の実施形態と同様であるので、その説明を省略する。
【図面の簡単な説明】
【００７０】
【図１】本発明の第１の実施形態に係るカメラの全体構成を説明するブロック図である。
【図２】図１のカメラの動作を説明するフローチャートである。
【図３】本発明の第１の実施形態の変形例に係るカメラの全体構成を説明するブロック図である。
【図４】図３のカメラの動作を説明するフローチャートである。
【符号の説明】
【００７１】
１，１０１  カメラ
３，１０３  カメラ本体
３Ａ  筐体
５，１０５  レンズユニット
７  撮像素子（撮像手段）
１０，１１０  画像処理部（画像処理手段）
１５  表示部（表示手段）
１７  レンズ系（撮像光学系）
２１  アルゴリズム記憶部
【図１】
2008092000.tif 000003
【図２】
2008092000.tif 000004
【図３】
2008092000.tif 000005
【図４】
2008092000.tif 000006